(57)【特許請求の範囲】
【請求項１】
複数のキャリアの一部の特定キャリアによって基地局から移動端末にページング信号を送信する通信システムにおいて、
前記特定キャリアによりページング信号を送信し、前記複数のキャリアにおける前記特定キャリアとは異なるキャリアから、前記特定キャリアを示す情報であって、前記情報が含まれるキャリアに割り当てられたチャネル番号と、前記特定キャリアに割り当てられたチャネル番号と、の差分を示す情報を送信する基地局と、
接続したキャリアから受信した前記情報に基づいて前記特定キャリアに接続し、前記特定キャリアにより送信されるページング信号を受信する移動端末と、
を含むことを特徴とする通信システム。
【請求項２】
前記複数のキャリアにはそれぞれ異なるチャネル番号が割り当てられており、
前記基地局は、前記特定キャリアに割り当てられたチャネル番号を示す前記情報を送信することを特徴とする請求項１に記載の通信システム。
【請求項３】
前記複数のキャリアは、互いに周波数が異なるキャリアであり、
前記移動端末は、前記チャネル番号に基づいて前記特定キャリアの周波数を算出し、算出した周波数のキャリアに接続することを特徴とする請求項２に記載の通信システム。
【請求項４】
前記複数のキャリアは、互いに周波数が異なるキャリアであることを特徴とする請求項１に記載の通信システム。
【請求項５】
前記基地局は、前記特定キャリアの周波数を示す前記情報を送信することを特徴とする請求項４に記載の通信システム。
【請求項６】
前記複数のキャリアには前記特定キャリアが複数含まれ、
前記基地局は、複数の前記特定キャリアのうちの、いずれかの特定キャリアあるいは前記異なるキャリアと周波数が近い特定キャリア若しくは両方の特定キャリアを示す情報を送信することを特徴とする請求項４に記載の通信システム。
【請求項７】
複数のキャリアの一部の特定キャリアによって基地局から移動端末にページング信号を送信する通信システムの基地局において、
前記複数のキャリアにおける前記特定キャリアとは異なるキャリアから、前記特定キャリアを示す情報であって、前記情報が含まれるキャリアに割り当てられたチャネル番号と、前記特定キャリアに割り当てられたチャネル番号と、の差分を示す情報を送信する第一送信部と、
前記ページング信号を前記特定キャリアによって送信する第二送信部と、
を備えることを特徴とする基地局。
【請求項８】
複数のキャリアの一部の特定キャリアによって基地局から移動端末にページング信号を送信する通信システムの移動端末において、
接続したキャリアから、前記特定キャリアを示す情報であって、前記情報が含まれるキャリアに割り当てられたチャネル番号と、前記特定キャリアに割り当てられたチャネル番号と、の差分を示す情報を受信する第一受信部と、
前記第一受信部によって受信された情報が示すキャリアに接続する接続部と、
前記接続部によって接続されたキャリアにより送信されるページング信号を受信する第二受信部と、
を備えることを特徴とする移動端末。
【請求項９】
複数のキャリアの一部の特定キャリアによって基地局から移動端末にページング信号を送信する通信システムの通信方法において、
前記複数のキャリアにおける前記特定キャリアとは異なるキャリアから、前記特定キャリアを示す情報であって、前記情報が含まれるキャリアに割り当てられたチャネル番号と、前記特定キャリアに割り当てられたチャネル番号と、の差分を示す情報を前記基地局が送信する第一送信工程と、
前記第一送信工程によって送信された情報のうちの、接続したキャリアから受信した情報に基づいて前記移動端末が前記特定キャリアに接続する接続工程と、
前記特定キャリアによりページング信号を前記基地局が送信する第二送信工程と、
前記第二送信工程によって送信されたページング信号を、前記接続工程によって接続されたキャリアによって前記移動端末が受信する受信工程と、
を含むことを特徴とする通信方法。
【請求項１０】
複数のキャリアの一部の特定キャリアによって基地局から移動端末にページング信号を送信する通信システムにおいて、
前記移動端末がアイドルモードへ移行する場合に、前記移動端末のトラッキングエリアに含まれる各基地局と、前記各基地局の前記特定キャリアと、を対応付けた対応情報を送信する基地局と、
前記基地局によって送信された対応情報に基づいて、接続した基地局の前記特定キャリアに接続し、前記特定キャリアにより送信されるページング信号を受信する移動端末と、
を含むことを特徴とする通信システム。
【発明の詳細な説明】
【技術分野】
【０００１】
本発明は、通信システム、基地局、移動端末および通信方法に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）において、ＬＴＥの拡張システムであるＬＴＥ−Ａ（ＬＴＥ−Ａｄｖａｎｃｅｄ）が検討されている。ＬＴＥ−Ａでは、ＬＴＥシステムの無線キャリア（ｃａｒｒｉｅｒ）を複数束ねることでＬＴＥシステムよりも広い幅の無線伝送帯域を持つようになり、より大容量のデータの伝送が可能になる。束ねられる各ＬＴＥ無線キャリアをコンポーネントキャリア（ｃｏｍｐｏｎｅｎｔ  ｃａｒｒｉｅｒ）とよぶ。
【０００３】
ＬＴＥ仕様の端末は、ＬＴＥ−Ａ基地局が持つ複数のコンポーネントキャリアのひとつを使ってデータの送受信を行い、ＬＴＥ−Ａ仕様の端末（ＬＴＥ−Ａ端末）は、一つまたは同時に複数のコンポーネントキャリアを使用してデータの送受信を行う。コンポーネントキャリアの数や各コンポーネントキャリアの中心周波数は隣接する基地局間でも異なることが想定されている。また、ある基地局におけるコンポーネントキャリアの周波数軸上での配置は、連続の場合だけでなく、不連続の場合も想定されている。
【０００４】
アイドルモード（ｉｄｌｅ  ｍｏｄｅ）の端末は一つのトラッキングエリア（Ｔｒａｃｋｉｎｇ  Ａｒｅａ）に登録される（端末位置登録）。トラッキングエリア情報は端末ごとに異なる個別情報である。ひとつのトラッキングエリアには複数の基地局が属する。トラッキングエリアにどの基地局が属するかは端末ごとに異なる。
【０００５】
アイドルモードの端末に対して呼び出しがあると、その端末が属するトラッキングエリア内の基地局全てからページング（ｐａｇｉｎｇ）信号が送信される。ページング信号を受信した端末は、アイドルモードからアクティブモード（ａｃｔｉｖｅ  ｍｏｄｅ）へ移行する手続きをとる。その端末のトラッキングエリアに関する情報（トラッキングエリアに属する基地局の認識情報等）は、その端末が、たとえば、アクティブモードからアイドルモードへ移行する時に、ネットワーク（ｎｅｔｗｏｒｋ）からその端末に通知される。
【０００６】
アイドルモードの端末は、各セルから送信される共通制御信号を定期的に受信し、受信した共通制御信号に含まれる基地局固有の認識情報に基づいて、まだトラッキングエリアの中にいるか外にいるかを判定する。トラッキングエリアの外にいると判定された場合は、端末はその共通制御信号を送信した基地局または最も受信電力が大きくなる最寄りの基地局にアクセスし位置登録情報の更新を行ってもらう。その結果、その端末が属するトラッキングエリアが更新される。
【０００７】
各基地局は、特定のアイドルモードの端末が自分のセルにいるかどうかは把握できない。基地局よりもさらに上位に位置するＭＭＥ（Ｍｏｂｉｌｉｔｙ  Ｍａｎａｇｅｍｅｎｔ
Ｅｎｔｉｔｙ）は、ＭＭＥ配下の複数の基地局のいずれかにそのアイドルモード端末がいるかどうかは把握できるが、どの基地局のセルにいるかは把握していない。アイドルモードの端末に対し呼び出しがあった場合は、その端末の現在のトラッキングエリアに属している基地局全てのセルからページング信号が送信される。
【０００８】
ＬＴＥ−Ａの端末がアクティブモードからアイドルモードに移行した時、アクティブモードの時にその端末を管理していた基地局はその端末の管理を行わなくなる。アイドルモードとなった端末は、複数あるコンポーネントキャリアの中のひとつから共通制御信号を受信するようになる。その端末が現在いるセルから別のセルに移動しても、トラッキングエリアの外に出ないかぎり、その別のセルもその端末の存在を認識しない。その端末に対し、ネットワーク側から呼び出しが発生した場合は、その端末が現在属するトラッキングエリアに属する基地局はページング信号を送信する。
【先行技術文献】
【非特許文献】
【０００９】
【非特許文献１】３ＧＰＰ  ＴＳ３６．３００  Ｖ８．８．０  ２００９年３月
【非特許文献２】３ＧＰＰ  ＴＳ３６．３０４  Ｖ８．５．０  ２００９年３月
【発明の概要】
【発明が解決しようとする課題】
【００１０】
しかしながら、上述した従来技術では、ページング信号を効率よく送受信することができないという問題がある。たとえば、基地局がすべてのコンポーネントキャリアから同一のページング信号を送信すると、無線リソースの利用効率が劣化する。また、トラッキングエリア内の各基地局は、アイドルモードの端末が自局のセルにいるか否かが不明である。これに対して、トラッキングエリア内のすべての基地局が同一のページング信号を送信すると、無線リソースの利用効率がさらに劣化する。
【００１１】
また、基地局が一部のコンポーネントキャリアからページング信号を送信すると、端末は、いずれのコンポーネントキャリアにおいてページング信号が送信されるかが不明であるため、ページング信号を受信することができない。これに対して、端末がすべてのコンポーネントキャリアを受信すると、アイドルモードにおける端末の消費電力が大きくなるという問題がある。
【００１２】
そこで、本発明の一側面では、通信システム、基地局、移動端末および通信方法は、上述した問題点を解消するものであり、ページング信号を効率よく送受信することを目的とする。
【課題を解決するための手段】
【００１３】
第１の案では、複数のキャリアの一部の特定キャリアによって基地局から移動端末にページング信号を送信する通信システムにおいて、前記特定キャリアによりページング信号を送信し、前記複数のキャリアにおける前記特定キャリアとは異なるキャリアから前記特定キャリアを示す情報を送信する基地局と、接続したキャリアから受信した前記情報に基づいて前記特定キャリアに接続し、前記特定キャリアにより送信されるページング信号を受信する移動端末と、を含む通信システムを用いることとする。
【００１４】
好ましくは、前記複数のキャリアにはそれぞれ異なるチャネル番号が割り当てられており、前記基地局は、前記特定キャリアに割り当てられたチャネル番号を示す前記情報を送信する。
【００１５】
好ましくは、前記基地局は、前記情報が含まれるキャリアに割り当てられたチャネル番号と、前記特定キャリアに割り当てられたチャネル番号と、の差分を示す前記情報を送信する。
【００１６】
好ましくは、前記複数のキャリアは、互いに周波数が異なるキャリアであり、前記移動端末は、前記チャネル番号に基づいて前記特定キャリアの周波数を算出し、算出した周波数のキャリアに接続する。
【００１７】
好ましくは、前記複数のキャリアは、互いに周波数が異なるキャリアである。
【００１８】
好ましくは、前記基地局は、前記特定キャリアの周波数を示す前記情報を送信する。
【００１９】
好ましくは、前記複数のキャリアには前記特定キャリアが複数含まれ、前記基地局は、複数の前記特定キャリアのうちの、いずれかの特定キャリアあるいは前記異なるキャリアと周波数が近い特定キャリア若しくは両方の特定キャリアを示す情報を送信する。
【００２０】
第２の案では、複数のキャリアの一部の特定キャリアによって基地局から移動端末にページング信号を送信する通信システムの基地局において、前記複数のキャリアにおける前記特定キャリアとは異なるキャリアから前記特定キャリアを示す情報を送信する第一送信部と、前記ページング信号を前記特定キャリアによって送信する第二送信部と、を備える基地局を用いることとする。
【００２１】
第３の案では、複数のキャリアの一部の特定キャリアによって基地局から移動端末にページング信号を送信する通信システムの移動端末において、接続したキャリアから前記特定キャリアを示す情報を受信する第一受信部と、前記第一受信部によって受信された情報が示すキャリアに接続する接続部と、前記接続部によって接続されたキャリアにより送信されるページング信号を受信する第二受信部と、を備える移動端末を用いることとする。
【００２２】
第４の案では、複数のキャリアの一部の特定キャリアによって基地局から移動端末にページング信号を送信する通信システムの通信方法において、前記複数のキャリアにおける前記特定キャリアとは異なるキャリアから前記特定キャリアを示す情報を前記基地局が送信する第一送信工程と、前記第一送信工程によって送信された情報のうちの、接続したキャリアから受信した情報に基づいて前記移動端末が前記特定キャリアに接続する接続工程と、前記特定キャリアによりページング信号を前記基地局が送信する第二送信工程と、前記第二送信工程によって送信されたページング信号を、前記接続工程によって接続されたキャリアによって前記移動端末が受信する受信工程と、を含む通信方法を用いることとする。
【００２３】
第５の案では、複数のキャリアの一部の特定キャリアによって基地局から移動端末にページング信号を送信する通信システムにおいて、前記移動端末がアイドルモードへ移行する場合に、前記移動端末のトラッキングエリアに含まれる各基地局と、前記各基地局の前記特定キャリアと、を対応付けた対応情報を送信する基地局と、前記基地局によって送信された対応情報に基づいて、接続した基地局の前記特定キャリアに接続し、前記特定キャリアにより送信されるページング信号を受信する移動端末と、を含む通信システムを用いることとする。
【発明の効果】
【００２４】
本発明によれば、ページング信号を効率よく送受信することができるという効果を奏する。
【図面の簡単な説明】
【００２５】
【図１】実施の形態１にかかる通信システムを示す図である。
【図２】図１に示した基地局の構成の一例を示すブロック図である。
【図３】図１に示した移動端末の構成の一例を示すブロック図である。
【図４】図１に示した移動端末の動作の一例を示すフローチャートである。
【図５】図１に示した通信システムの変形例を示す図である。
【図６】実施の形態２にかかる通信システムを示す図である。
【図７】図６に示した通信システムの変形例を示す図である。
【図８】実施の形態３にかかる通信システムを示す図である。
【図９】図８に示した基地局の動作の一例を示すフローチャートである。
【図１０】図８に示した移動端末の動作の一例を示すフローチャートである。
【図１１】複数の基地局を含む通信システムの一例を示す図である。
【図１２】各基地局から送信されるコンポーネントキャリアを示す図である。
【発明を実施するための形態】
【００２６】
以下に添付図面を参照して、この通信システム、基地局、移動端末および通信方法の好適な実施の形態を詳細に説明する。
【００２７】
（実施の形態１）
（通信システムの構成および動作）
図１は、実施の形態１にかかる通信システムを示す図である。図１に示すように、実施の形態１にかかる通信システム１００は、基地局１１０と、移動端末１２０と、を含んでいる。また、通信システム１００は、複数のコンポーネントキャリアの一部のコンポーネントキャリアによって基地局１１０から移動端末１２０にページング信号を送信する無線通信システムである。以下、「コンポーネントキャリア」を「キャリア」と称する。
【００２８】
符号１３０は、基地局１１０から移動端末１２０へ送信される各キャリアを示している。符号１３０に示すように、基地局１１０は、キャリア１０，２０，３０，４０，５０を移動端末１２０へ送信する。キャリア１０，２０，３０，４０，５０は、互いに周波数が異なるキャリアである。キャリア１０，２０，３０，４０，５０にはそれぞれ異なるチャネル番号（ｃｈ．番号）「１００」，「１０１」，「１０２」，「１０３」，「１０４」が割り当てられている。
【００２９】
ここでは、基地局１１０は、キャリア２０にページング信号２３を含めるとともに、キャリア１０，３０，４０，５０にはページング信号を含めないとする。以下、たとえばキャリア２０のように、ページング信号を含むキャリアを「特定キャリア」と称する。
【００３０】
基地局１１０が送信するキャリア１０には、チャネル番号１１および特定キャリア情報１２が含まれている。チャネル番号１１は、自キャリアであるキャリア１０のチャネル番号「１００」を示している。特定キャリア情報１２は、特定キャリアであるキャリア２０のチャネル番号「１０１」を示している。
【００３１】
また、基地局１１０が送信するキャリア２０には、チャネル番号２１および特定キャリア情報２２が含まれている。チャネル番号２１は、自キャリアであるキャリア２０のチャネル番号「１０１」を示している。特定キャリア情報２２は、特定キャリアであるキャリア２０のチャネル番号「１０１」を示している。
【００３２】
同様に、基地局１１０が送信するキャリア３０，４０，５０には、それぞれチャネル番号３１，４１，５１および特定キャリア情報３２，４２，５２が含まれている。チャネル番号３１，４１，５１は、それぞれキャリア３０，４０，５０のチャネル番号「１０２」，「１０３」，「１０４」を示している。特定キャリア情報３２，４２，５２のそれぞれは、特定キャリアであるキャリア２０のチャネル番号「１０１」を示している。
【００３３】
このように、基地局１１０は、キャリア２０（特定キャリア）によりページング信号を送信するとともに、キャリア２０を示す特定キャリア情報１２，３２，４２，５２をそれぞれキャリア１０，３０，４０，５０から送信する。
【００３４】
移動端末１２０は、接続したキャリアから特定キャリア情報を受信する。たとえば、移動端末１２０は、アイドルモードへ移行したときに、あらかじめ設定されたキャリアへ接続し、接続したキャリアから特定キャリア情報を受信する。そして、移動端末１２０は、受信した特定キャリア情報に基づいてキャリア２０に接続し（異なるキャリアへのハンドオーバ）、キャリア２０により送信されるページング信号２３を受信する。
【００３５】
また、たとえば、移動端末１２０が、アイドルモードへ移行したときにキャリア１０に接続したとする。この場合は、移動端末１２０は、キャリア１０から特定キャリア情報１２を受信する。そして、移動端末１２０は、受信した特定キャリア情報１２が示すキャリア２０に接続する。
【００３６】
このように、ページング信号が送信されるキャリア２０を示す特定キャリア情報を他のキャリア１０，３０，４０，５０によって基地局１１０から送信することで、ページング信号が含まれるキャリア２０へ移動端末１２０が容易に接続することができる。このため、ページング信号を効率よく送受信することができる。
【００３７】
また、複数のキャリア１０，２０，３０，４０，５０のうちの、特定キャリア以外のキャリア１０，３０，４０，５０のすべてによって特定キャリア情報を送信する。これにより、移動端末１２０がキャリア１０，３０，４０，５０のいずれに接続したとしても特定キャリア情報を受信することができるため、移動端末１２０がキャリア１０へさらに容易にかつ短時間で接続することができる。
【００３８】
ただし、特定キャリア以外のキャリア１０，３０，４０，５０のすべてによって特定キャリア情報を送信する場合に限らず、たとえばキャリア１０，３０，４０，５０の一部において特定キャリア情報を送信しないようにすることも可能である。この場合も、移動端末１２０は、特定キャリア情報を含むキャリアを受信するまで受信キャリアを切り替えることで特定キャリア情報を受信することができるため、移動端末１２０がキャリア１０へ容易にかつ短時間で接続することができる。
【００３９】
また、ここでは、特定キャリアであるキャリア２０にも特定キャリア情報２２が含まれている場合について説明したが、特定キャリアには特定キャリア情報が含まれていなくてもよい。この場合においても、移動端末１２０は、たとえばアイドルモードへ移行したときに接続したキャリアが特定キャリアであった場合は、ページング信号を検出することにより、接続したキャリアが特定キャリアであることを認識することができる。
【００４０】
（基地局の構成）
図２は、図１に示した基地局の構成の一例を示すブロック図である。図２に示すように、基地局１１０は、特定キャリア決定部２１０と、特定キャリア情報生成部２２０と、ユーザ信号生成部２３１〜２３５と、共通信号生成部２４１〜２４５と、ページング信号生成部２５０と、送信信号生成部２６１〜２６５と、無線送信部２７０と、を備えている。
【００４１】
特定キャリア決定部２１０は、キャリア１０，２０，３０，４０，５０の中から特定キャリアを決定し、決定した特定キャリアを特定キャリア情報生成部２２０およびページング信号生成部２５０へ通知する。たとえば、特定キャリア決定部２１０は、あらかじめ基地局１１０のメモリに記憶された特定キャリアの情報を読み出し、読み出した情報が示すキャリアを特定キャリアとして決定する。ここでは、特定キャリア決定部２１０は、図１に示したように、キャリア２０を特定キャリアとして決定したとする。
【００４２】
特定キャリア情報生成部２２０は、特定キャリア決定部２１０から通知された特定キャリア（ここではキャリア２０）を示す特定キャリア情報を生成する。特定キャリア情報生成部２２０が生成する特定キャリア情報は、たとえば、図１に示したように、特定キャリアのチャネル番号を示す値である。特定キャリア情報生成部２２０は、生成した特定キャリア情報を共通信号生成部２４１〜２４５のそれぞれへ出力する。
【００４３】
ユーザ信号生成部２３１は、キャリア１０により送信するためのユーザ信号を生成し、生成したユーザ信号を送信信号生成部２６１へ出力する。同様に、ユーザ信号生成部２３２〜２３５は、それぞれキャリア２０，３０，４０，５０により送信するためのユーザ信号を生成し、生成したユーザ信号をそれぞれ送信信号生成部２６２〜２６５へ出力する。ユーザ信号生成部２３１〜２３５が生成する各ユーザ信号には、たとえば、基地局１１０へ送信するユーザデータと、ユーザデータを送信するための制御信号と、が含まれる。
【００４４】
共通信号生成部２４１は、特定キャリア情報生成部２２０から出力された特定キャリア情報を含む共通信号を生成し、生成した共通信号を送信信号生成部２６１へ出力する。同様に、共通信号生成部２４２〜２４５は、特定キャリア情報生成部２２０から出力された特定キャリア情報を含む共通信号を生成し、生成した共通信号を送信信号生成部２６１へ出力する。また、共通信号生成部２４１〜２４５が生成する各共通信号には、パイロット信号などが含まれていてもよい。
【００４５】
ページング信号生成部２５０は、移動端末１２０を含む各移動端末を呼び出すページング信号を生成する。たとえば、ページング信号生成部２５０は、基地局１１０の上位システムから送信された移動端末の呼び出し情報を取得し、取得した情報に基づいてページング信号を生成する。ページング信号生成部２５０は、送信信号生成部２６１〜２６５のうちの、特定キャリア決定部２１０から通知された特定キャリアの送信信号を生成する送信信号生成部（ここでは送信信号生成部２６２）へ、生成したページング信号を出力する。
【００４６】
送信信号生成部２６１は、キャリア１０により送信するための送信信号を生成し、生成した送信信号を無線送信部２７０へ出力する。具体的には、送信信号生成部２６１は、ユーザ信号生成部２３１から出力されたユーザ信号と、共通信号生成部２４１から出力された共通信号と、を含む送信信号を生成する。
【００４７】
送信信号生成部２６２は、キャリア２０により送信するための送信信号を生成し、生成した送信信号を無線送信部２７０へ出力する。具体的には、送信信号生成部２６２は、ユーザ信号生成部２３２から出力されたユーザ信号と、共通信号生成部２４２から出力された共通信号と、ページング信号生成部２５０から出力されたページング信号と、を含む送信信号を生成する。
【００４８】
送信信号生成部２６３〜２６５は、送信信号生成部２６１と同様に、それぞれキャリア３０，４０，５０により送信するための送信信号を生成し、生成した送信信号を無線送信部２７０へ出力する。具体的には、送信信号生成部２６３〜２６５は、それぞれユーザ信号生成部２３３〜２３５から出力されたユーザ信号と、それぞれ共通信号生成部２４３〜２４５から出力された共通信号と、を含む送信信号を生成する。
【００４９】
無線送信部２７０は、送信信号生成部２６１〜２６５から出力された各送信信号を、各送信信号に対応するキャリアによって無線送信する。たとえば、無線送信部２７０は、送信信号生成部２６１から出力された送信信号をキャリア１０によって無線送信する。同様に、無線送信部２７０は、送信信号生成部２６２〜２６５から出力された送信信号をそれぞれキャリア２０，３０，４０，５０によって無線送信する。
【００５０】
上述した構成において、送信信号生成部２６１，２６３〜２６５および無線送信部２７０は、複数のキャリアにおける特定キャリアとは異なるキャリアから特定キャリアを示す情報を送信する第一送信部である。送信信号生成部２６２および無線送信部２７０は、ページング信号を特定キャリアによって送信する第二送信部である。
【００５１】
また、特定キャリア決定部２１０、特定キャリア情報生成部２２０、ユーザ信号生成部２３１〜２３５、共通信号生成部２４１〜２４５、ページング信号生成部２５０および送信信号生成部２６１〜２６５は、たとえばＤＳＰ（Ｄｉｇｉｔａｌ  Ｓｉｇｎａｌ  Ｐｒｏｃｅｓｓｏｒ）などの演算回路によって実現される。また、無線送信部２７０は、アンテナなどの無線通信インターフェースによって実現される。
【００５２】
（移動端末の構成）
図３は、図１に示した移動端末の構成の一例を示すブロック図である。図３に示すように、移動端末１２０は、無線受信部３１０と、受信信号処理部３２１〜３２５と、特定キャリア情報抽出部３３０と、接続部３４０と、オン／オフ制御部３５０とを備えている。
【００５３】
無線受信部３１０は、基地局１１０から送信されるキャリアから信号を受信する。また、無線受信部３１０は、接続部３４０の制御に従って、キャリア１０，２０，３０，４０，５０のうちの受信するキャリアを選択する。無線受信部３１０は、受信した信号を受信信号処理部３２１〜３２５のそれぞれへ出力する。
【００５４】
受信信号処理部３２１〜３２５のそれぞれは、無線受信部３１０から出力された信号の受信処理を行い、受信処理により得られた信号を特定キャリア情報抽出部３３０へ出力する。また、受信信号処理部３２１〜３２５のそれぞれは、オン／オフ制御部３５０の制御に従って自身の動作のオン／オフを切り替える。
【００５５】
特定キャリア情報抽出部３３０は、受信信号処理部３２１〜３２５から出力された信号から特定キャリア情報を抽出する。特定キャリア情報抽出部３３０は、抽出した特定キャリア情報を接続部３４０へ出力する。
【００５６】
接続部３４０は、移動端末１２０がアクティブモードの場合に、移動端末１２０が使用する一または複数のキャリアを受信するように無線受信部３１０を制御する。また、接続部３４０は、移動端末１２０がアイドルモードの場合に、特定キャリア情報抽出部３３０からの特定キャリア情報が示すキャリアを受信するように無線受信部３１０を制御する（同一セル内における異周波ハンドオーバ）。
【００５７】
たとえば、特定キャリア情報がキャリア２０のチャネル番号「１０１」を示す場合は、接続部３４０は、チャネル番号「１０１」に基づいてキャリア２０の周波数を算出し、算出した周波数の信号を受信するように無線受信部３１０を制御する。チャネル番号（ＮDL）に基づく周波数（ＦDL）の算出はたとえば下記（１）式によって行うことができる。
【００５８】
ＦDL  ＝  ＦDL_low  ＋  ０．１（ＮDL  −  Ｎoffs-DL）      …（１）
【００５９】
上記（１）式において、ＦDL_lowは、基地局１１０の帯域中で最も低い周波数を示している。Ｎoffs-DLは、同一記述の式を異なる帯域においても使用できるようにするための補正項である。また、チャネル番号に基づく周波数の算出については、たとえば非特許文献（３ＧＰＰ  ＴＳ３６．１０６  Ｖ８．１．０  ２００９年３月）に開示された方法を用いてもよい。
【００６０】
このように、移動端末１２０は、チャネル番号に基づいて特定キャリアの周波数を算出し、算出した周波数のキャリアに接続する。チャネル番号からの特定キャリアの周波数の算出は、上記（１）式などの算出式によって行う。上記（１）式などの算出式は、たとえば移動端末１２０のメモリにあらかじめ記憶されている。
【００６１】
オン／オフ制御部３５０は、受信信号処理部３２１〜３２５の動作のオン／オフを切り替える。たとえば、オン／オフ制御部３５０は、移動端末１２０がアクティブモードの場合は、受信信号処理部３２１〜３２５のうちの複数の受信信号処理部を動作させる。これにより、複数のキャリアにおける受信信号の処理が並列して行われる。また、オン／オフ制御部３５０は、移動端末１２０がアイドルモードの場合は、受信信号処理部３２１〜３２５のうちの１つの受信信号処理部（たとえば受信信号処理部３２１）を動作させる。
【００６２】
上述した構成において、たとえば無線受信部３１０、受信信号処理部３２１および特定キャリア情報抽出部３３０は、接続したキャリアから特定キャリアを示す情報を受信する第一受信部である。また、接続部３４０は、第一受信部によって受信された情報が示すキャリアに接続する接続部である。
【００６３】
また、たとえば無線受信部３１０および受信信号処理部３２１は、接続部３４０によって接続されたキャリアにより送信されるページング信号を受信する第二受信部である。また、無線受信部３１０は、アンテナなどの無線通信インターフェースによって実現される。また、受信信号処理部３２１〜３２５、特定キャリア情報抽出部３３０、接続部３４０およびオン／オフ制御部３５０は、たとえばＤＳＰなどの演算回路によって実現される。
【００６４】
（移動端末の動作）
図４は、図１に示した移動端末の動作の一例を示すフローチャートである。図４に示すように、移動端末１２０は、アクティブモードからアイドルモードへ移行すると（ステップＳ４０１）、トラッキングエリア情報を基地局１１０から受信する（ステップＳ４０２）。つぎに、接続している基地局（たとえば基地局１１０）から制御信号を受信する（ステップＳ４０３）。ステップＳ４０３において受信する制御信号には、制御信号を送信した基地局を特定するＩＤ（ＩＤｅｎｔｉｆｉｃａｔｉｏｎ）が含まれている。
【００６５】
つぎに、移動端末１２０が現在のトラッキングエリア内にいるか否かを判断する（ステップＳ４０４）。ステップＳ４０４においては、ステップＳ４０３によって受信された制御信号に含まれる基地局１１０のＩＤが、ステップＳ４０２によって受信された最新のトラッキングエリア情報に含まれているか否かを判断する。ＩＤがトラッキングエリア情報に含まれている場合はトラッキングエリア内にいると判断し、ＩＤがトラッキングエリア情報に含まれていない場合はトラッキングエリアから出たと判断する。
【００６６】
ステップＳ４０４において、移動端末１２０が現在のトラッキングエリアから出ている場合（ステップＳ４０４：Ｎｏ）は、接続している基地局１１０に位置登録更新を要求し（ステップＳ４０５）、ステップＳ４０２へ戻る。これにより、基地局１１０の上位レイヤによって移動端末１２０の位置登録の更新が行われ、移動端末１２０の新たなトラッキングエリア情報が基地局１１０を介して移動端末１２０へ送信される。
【００６７】
ステップＳ４０４において、移動端末１２０が現在のトラッキングエリア内にいる場合（ステップＳ４０４：Ｙｅｓ）は、接続しているキャリアからチャネル番号と特定キャリア情報を受信する（ステップＳ４０６）。つぎに、接続しているキャリアが、ページング信号を含む特定キャリアであるか否かを判断する（ステップＳ４０７）。
【００６８】
ステップＳ４０７においては、たとえば、ステップＳ４０６によって受信されたチャネル番号と特定キャリア情報が一致するか否かによって判断する。具体的には、チャネル番号と特定キャリア情報が一致する場合は特定キャリアであると判断し、チャネル番号と特定キャリア情報が一致しない場合は特定キャリアでないと判断する。
【００６９】
ステップＳ４０７において、接続しているキャリアが特定キャリアでない場合（ステップＳ４０７：Ｎｏ）は、ステップＳ４０６によって受信された特定キャリア情報が示す特定キャリアに接続し（ステップＳ４０８）、ステップＳ４０６へ戻る。接続しているキャリアが特定キャリアである場合（ステップＳ４０７：Ｙｅｓ）は、接続しているキャリアからページング信号を受信し（ステップＳ４０９）、ステップＳ４０３へ戻る。
【００７０】
以上のステップにより、移動端末１２０は、基地局１１０からの特定キャリアによって送信されるページング信号を効率よく受信することができる。そして、移動端末１２０は、受信したページング信号によって移動端末１２０の呼び出しがあった場合は、接続している基地局（たとえば基地局１１０）を介して上位システムに対して応答を行う。
【００７１】
また、移動端末１２０が基地局１１０のセルから出て、基地局１１０とは異なる新たな基地局のセルへ入ると、ステップＳ４０３において、新たな基地局から制御信号を受信することになる。移動端末１２０は、新たな基地局がトラッキングエリア外の基地局である場合はステップＳ４０５へ移行する。また、移動端末１２０は、新たな基地局がトラッキングエリア内の基地局である場合はステップＳ４０６へ移行する。
【００７２】
（通信システムの変形例）
図５は、図１に示した通信システムの変形例を示す図である。図５において、図１に示した部分と同様の部分については同一の符号を付して説明を省略する。ここでは、基地局１１０は、キャリア２０にページング信号２３を含め、キャリア３０にページング信号３３を含めるとともに、キャリア１０，４０，５０にはページング信号を含めないとする。ページング信号２３およびページング信号３３は、たとえば同一内容である。
【００７３】
この場合は、キャリア１０の特定キャリア情報１２およびキャリア２０の特定キャリア情報２２は、特定キャリアであるキャリア２０のチャネル番号「１０１」を示している。キャリア３０の特定キャリア情報３２、キャリア４０の特定キャリア情報４２およびキャリア５０の特定キャリア情報５２は、ページング信号３３を含む特定キャリアであるキャリア３０のチャネル番号「１０２」を示している。
【００７４】
このように、基地局１１０は、キャリア２０およびキャリア３０（複数のキャリア）によりページング信号（ページング信号２３，３３）を送信するようにしてもよい。すなわち、キャリア１０，２０，３０，４０，５０（複数のキャリア）には特定キャリアが複数含まれていてもよい。この場合は、他のキャリア（キャリア１０，４０，５０）のキャリア特定情報は、キャリア２０およびキャリア３０のいずれかを示す情報とする。
【００７５】
さらに、キャリア１０，４０，５０のキャリア特定情報を、キャリア２０およびキャリア３０のうちの、周波数が近いキャリアを示す情報としてもよい。たとえば、キャリア１０の特定キャリア情報１２は、キャリア３０よりキャリア２０の方がキャリア１０と周波数が近いため、キャリア２０を示す情報「１０１」とする。また、キャリア４０の特定キャリア情報４２は、キャリア２０よりキャリア３０の方がキャリア４０と周波数が近いため、キャリア３０を示す情報「１０２」とする。これにより、接続しているキャリアから特定モニタへ接続し直す場合における受信周波数の変更量を低減することができる。
【００７６】
なお、実施の形態１において、特定キャリア情報が特定キャリアのチャネル番号を示す情報である場合について説明したが、特定キャリア情報が、特定キャリアの周波数を示す情報であってもよい（以降の実施の形態においても同様）。この場合は、接続部３４０は、移動端末１２０がアイドルモードの場合に、特定キャリア情報抽出部３３０からの特定キャリア情報が示す周波数の信号を受信するように無線受信部３１０を制御する。
【００７７】
（実施の形態２）
（通信システムの構成および動作）
図６は、実施の形態２にかかる通信システムを示す図である。図６において、図１に示した部分と同様の部分については同一の符号を付して説明を省略する。図６に示すように、基地局１１０が送信するキャリア１０の特定キャリア情報１２は、自キャリアであるキャリア１０のチャネル番号「１００」と、特定キャリアであるキャリア２０のチャネル番号「１０１」と、の差分「−１」を示している。
【００７８】
また、キャリア２０の特定キャリア情報２２は、自キャリアであるキャリア２０のチャネル番号「１０１」と、特定キャリアであるキャリア２０のチャネル番号「１０１」と、の差分「０」を示している。同様に、特定キャリア情報３２，４２，５２は、それぞれキャリア３０，４０，５０のチャネル番号と、特定キャリアであるキャリア２０のチャネル番号「１０１」と、の差分「１」，「２」，「３」，を示している。
【００７９】
このように、特定キャリア情報１２，２２，３２，４２，５２のそれぞれを、特定キャリア情報が含まれるキャリアに割り当てられたチャネル番号と、特定キャリアに割り当てられたチャネル番号と、の差分を示す情報としてもよい。これにより、特定キャリア情報１２，２２，３２，４２，５２の情報量を低減することができる。
【００８０】
また、移動端末１２０が、アイドルモードへ移行したときにキャリア１０に接続したとする。この場合は、移動端末１２０は、キャリア１０からチャネル番号１１および特定キャリア情報１２を受信し、チャネル番号１１が示すチャネル番号「１００」と特定キャリア情報１２が示す差分「−１」に基づいてチャネル番号「１０１」を特定する。そして、移動端末１２０は、特定したチャネル番号「１０１」が示すキャリア２０に接続する。
【００８１】
（通信システムの変形例）
図７は、図６に示した通信システムの変形例を示す図である。図７において、図６に示した部分と同様の部分については同一の符号を付して説明を省略する。ここでは、基地局１１０は、キャリア２０にページング信号２３を含め、キャリア３０にページング信号３３を含めるとともに、キャリア１０，４０，５０にはページング信号を含めないとする。ページング信号２３およびページング信号３３は同一内容とする。
【００８２】
この場合は、キャリア１０の特定キャリア情報１２は、キャリア１０のチャネル番号「１００」と、特定キャリアであるキャリア２０のチャネル番号「１０１」と、の差分「−１」を示している。キャリア２０の特定キャリア情報２２は、キャリア２０のチャネル番号「１０１」と、特定キャリアであるキャリア２０のチャネル番号「１０１」と、の差分「−１」を示している。
【００８３】
また、特定キャリア情報３２，４２，５２は、それぞれキャリア３０，４０，５０のチャネル番号「１０２」，「１０３」，「１０４」と、ページング信号３３を含むキャリア３０のチャネル番号「１０２」と、の差分「０」，「１」，「２」を示している。
【００８４】
このように、図６に示した例において、特定キャリア情報１２，２２，３２，４２，５２のそれぞれを、特定キャリア情報が含まれるキャリアに割り当てられたチャネル番号と、特定キャリアに割り当てられたチャネル番号と、の差分を示す情報としてもよい。さらに、図６に示した例において、キャリア１０，４０，５０のキャリア特定情報を、キャリア２０およびキャリア３０のうちの、周波数が近いキャリアを示す情報としてもよい。
【００８５】
（実施の形態３）
（通信システムの構成および動作）
図８は、実施の形態３にかかる通信システムを示す図である。図８において、図１に示した部分と同様の部分については同一の符号を付して説明を省略する。図８に示すように、実施の形態３にかかる通信システム１００は、基地局１１０と、移動端末１２０と、ロケーションレジスタ８１０と、を含んでいる。基地局１１０は、移動端末１２０がアイドルモードへ移行する場合に、移動端末１２０の位置登録を要求する位置登録要求信号をロケーションレジスタ８１０へ送信する。
【００８６】
ロケーションレジスタ８１０は、基地局１１０の上位システムであり、基地局１１０のセル内の各移動端末の移動登録を行う。ロケーションレジスタ８１０は、基地局１１０から移動端末１２０に関する位置登録要求信号を受信すると、移動端末１２０のトラッキングエリアを決定する位置登録を行う。そして、ロケーションレジスタ８１０は、位置登録を行ったことを示す位置登録確認信号とともに、決定した移動端末１２０のトラッキングエリアに含まれる各基地局を示すトラッキングエリア情報を基地局１１０へ送信する。
【００８７】
基地局１１０は、ロケーションレジスタ８１０からトラッキングエリア情報を受信すると、トラッキングエリア情報が示す各基地局と、各基地局における各特定キャリアと、を対応付けた対応情報８２０を作成する。たとえば、基地局１１０のメモリには、各基地局における各特定キャリアが記憶されている。そして、基地局１１０は、ロケーションレジスタ８１０から受信したトラッキングエリア情報と、メモリに記憶された各基地局の特定キャリアと、に基づいて対応情報８２０を作成する。
【００８８】
または、基地局１１０は、ロケーションレジスタ８１０から受信したトラッキングエリア情報に含まれる各基地局に対して、各基地局の特定情報を問い合わせることで、各基地局の特定キャリアの情報を取得する。そして、基地局１１０は、ロケーションレジスタ８１０から受信したトラッキングエリア情報と、各基地局から取得した各特定キャリアの情報と、に基づいて対応情報８２０を作成する。
【００８９】
基地局１１０は、作成した対応情報８２０を移動端末１２０へ送信する。図８に示すように、対応情報８２０においては、トラッキングエリアに含まれる各基地局のセル番号と、ページング信号を含む特定キャリアの番号と、が対応付けられている。たとえば、基地局１１０のセル番号（ｃｅｌｌ番号＝１０）は、特定キャリアの番号（”Ｐａｇｉｎｇ”ｃｏｍｐｏｎｅｎｔ  ｃａｒｒｉｅｒ番号＝１０１）と対応付けられている。これは、基地局１１０の特定キャリアのチャネル番号が「１０１」であることを示している。
【００９０】
移動端末１２０は、基地局１１０から送信された対応情報８２０に基づいて、アイドルモードへ移行するときに接続した基地局（たとえば基地局１１０）における特定キャリアに接続し、特定キャリアにより送信されるページング信号を受信する。また、移動端末１２０は、トラッキングエリアに含まれる基地局１１０とは異なる基地局に接続する場合も、対応情報８２０に基づいて、接続した基地局における特定キャリアに接続し、特定キャリアにより送信されるページング信号を受信する。
【００９１】
このように、ページング信号が送信されるキャリア１０を示す特定キャリア情報をトラッキングエリア情報とともに基地局１１０から送信することで、ページング信号が含まれるキャリア１０へ移動端末１２０が容易に接続することができる。このため、ページング信号を効率よく送受信することができる。
【００９２】
（基地局の構成）
図６に示した基地局１１０の構成については、たとえば、図２に示した基地局１１０の構成に加えて、対応情報８２０を作成する作成部と、作成部によって作成された対応情報８２０を移動端末１２０へ送信する送信部と、を備える構成とする。ただし、図２に示した特定キャリア情報生成部２２０は省いた構成にしてもよい。基地局１１０の作成部は、たとえばＤＳＰなどの演算手段によって実現される。基地局１１０の送信部は、たとえばアンテナなどの無線通信インターフェースによって実現される。
【００９３】
（移動端末の構成）
図６に示した移動端末１２０の構成については、たとえば、図３に示した移動端末１２０の構成に加えて、対応情報８２０を受信する受信部を備える構成とする。移動端末１２０の受信部は、たとえばアンテナなどの無線通信インターフェースによって実現される。ただし、図３に示した特定キャリア情報抽出部３３０は省いた構成にしてもよい。この場合は、接続部３４０は、受信部によって受信された対応情報８２０に基づいて、接続した基地局における特定キャリアに接続する。
【００９４】
（基地局の動作）
図９は、図８に示した基地局の動作の一例を示すフローチャートである。図９に示すように、基地局１１０は、アクティブモードの移動端末１２０のトラフィック状態を一定期間モニタする（ステップＳ９０１）。つぎに、ステップＳ９０１のモニタ結果に基づいて、移動端末１２０のトラフィックが発生したか否かを判断する（ステップＳ９０２）。
【００９５】
ステップＳ９０２において、移動端末１２０のトラフィックが発生した場合（ステップＳ９０２：Ｙｅｓ）は、ステップＳ９０１へ戻る。移動端末１２０のトラフィックが発生していない場合（ステップＳ９０２：Ｎｏ）は、位置登録を要求する位置登録要求信号をロケーションレジスタ８１０へ送信する（ステップＳ９０３）。
【００９６】
つぎに、ステップＳ９０３によって送信された位置登録要求信号に対する位置登録確認信号とともに、移動端末１２０のトラッキングエリア情報をロケーションレジスタ８１０から受信する（ステップＳ９０４）。つぎに、ステップＳ９０４によって受信されたトラッキングエリア情報に含まれる各基地局と、各基地局における特定キャリアと、の対応情報８２０を移動端末１２０へ送信し（ステップＳ９０５）、一連の動作を終了する。
【００９７】
以上の動作により、基地局１１０は、移動端末１２０のトラフィックが一定時間発生しなかった場合に、ロケーションレジスタ８１０の位置登録の結果得られた対応情報８２０を移動端末１２０へ送信することができる。移動端末１２０は、トラフィックが一定時間発生しなかった場合に、アクティブモードからアイドルモードへ移行する。つぎに、アイドルモードへ移行した移動端末１２０の動作について説明する。
【００９８】
（移動端末の動作）
図１０は、図８に示した移動端末の動作の一例を示すフローチャートである。図１０に示すように、移動端末１２０は、アクティブモードからアイドルモードへ移行すると（ステップＳ１００１）、対応情報８２０を基地局１１０から受信する（ステップＳ１００２）。対応情報８２０には、移動端末１２０のトラッキングエリアに含まれる各基地局を示すトラッキングエリア情報が含まれている（図９参照）。
【００９９】
図１０に示すステップＳ１００３〜Ｓ１００５は、図４に示したステップＳ４０３〜Ｓ４０５と同様であるため説明を省略する。ステップＳ１００４において、移動端末１２０が現在のトラッキングエリア内にいる場合（ステップＳ１００４：Ｙｅｓ）は、ステップＳ１００６へ移行する。すなわち、ステップＳ１００２によって受信された対応情報８２０において、ステップＳ１００３によって受信された制御信号に含まれる基地局１１０のＩＤと対応付けられている特定キャリア情報を取得する（ステップＳ１００６）。
【０１００】
つぎに、接続しているキャリアからチャネル番号を受信する（ステップＳ１００７）。つぎに、接続しているキャリアが、ページング信号を含む特定キャリアであるか否かを判断する（ステップＳ１００８）。ステップＳ１００８においては、たとえば、ステップＳ１００６によって取得された特定キャリア情報と、ステップＳ１００７によって受信されたチャネル番号と、が一致するか否かによって判断する。
【０１０１】
ステップＳ１００８において、接続しているキャリアが特定キャリアでない場合（ステップＳ１００８：Ｎｏ）は、ステップＳ１００６によって取得された特定キャリア情報が示す特定キャリアに接続し（ステップＳ１００９）、ステップＳ１００７へ戻る。接続しているキャリアが特定キャリアである場合（ステップＳ１００８：Ｙｅｓ）は、接続しているキャリアからページング信号を受信し（ステップＳ１０１０）、ステップＳ１００３へ戻る。
【０１０２】
以上のステップにより、移動端末１２０は、基地局１１０からの特定キャリアによって送信されるページング信号を効率よく受信することができる。そして、移動端末１２０は、受信したページング信号によって移動端末１２０の呼び出しがあった場合は、基地局１１０を介して上位システムに対して応答を行う。
【０１０３】
（複数の基地局を含む通信システム）
図１１は、複数の基地局を含む通信システムの一例を示す図である。図１１に示すように、通信システム１１００は、基地局１１０，１１２０，１１３０，１１４０，１１５０を含んでいる。セル１１１１，１１２１，１１３１，１１４１，１１５１は、それぞれ基地局１１０，１１２０，１１３０，１１４０のセルである。トラッキングエリア１１０１は、移動端末１２０のトラッキングエリアである。ここでは、基地局１１０，１１２０，１１３０，１１４０がトラッキングエリア１１０１に含まれている。
【０１０４】
たとえば、基地局１１０は図１、図６または図８に示した基地局１１０であり、移動端末１２０は基地局１１０に接続しているとする。移動端末１２０に対する呼び出しが発生した場合に、基地局１１０，１１２０，１１３０，１１４０のそれぞれの特定キャリアから移動端末１２０に対するページング信号が送信される。移動端末１２０は、基地局１１０の特定キャリアから送信されるページング信号を受信し、受信したページング信号に基づいて上位システムへの応答を行う。
【０１０５】
また、移動端末１２０がセル１１５１へ移動すると、基地局１１５０はトラッキングエリア１１０１に含まれない基地局であるため、たとえば図８の対応情報８２０によって移動端末１２０の位置登録が更新される。これにより、基地局１１５０を含む基地局群が移動端末１２０の新たなトラッキングエリアとして決定される。
【０１０６】
図１２は、各基地局から送信されるコンポーネントキャリアを示す図である。キャリア１２１１〜１２１４は、たとえば図１１に示した基地局１１０から送信されるキャリアである。キャリア１２２１〜１２２４は、たとえば図１１に示した基地局１１２０から送信されるキャリアである。キャリア１２３１〜１２３４は、たとえば図１１に示した基地局１１３０から送信されるキャリアである。キャリア１２４１〜１２４４は、たとえば図１１に示した基地局１１４０から送信されるキャリアである。
【０１０７】
図１２に示すように、基地局１１０，１１２０，１１３０，１１４０において、ページング信号（Ｐ）を含む特定キャリアの周波数がそれぞれ異なっていてもよい。具体的には、基地局１１０においてはキャリア１２１１が特定キャリアとなっている。基地局１１２０においてはキャリア１２２１が特定キャリアとなっている。基地局１１３０においてはキャリア１２３１が特定キャリアとなっている。基地局１１４０においてはキャリア１２４４が特定キャリアとなっている。
【０１０８】
この場合も、上記の基地局１１０および移動端末１２０によれば、移動端末１２０において特定キャリア（キャリア１２１１、キャリア１２２１、キャリア１２３１またはキャリア１２４４）を識別することができる。このため、移動端末１２０がページング信号（Ｐ）を効率よく受信することができる。
【０１０９】
以上説明したように、通信システム、基地局、移動端末および通信方法によれば、複数のキャリアの一部の特定キャリアからページング信号を送信することで、無線リソースの利用効率を向上させることができる。また、ページング信号が含まれる特定キャリアへ移動端末が容易に接続することができるため、移動端末がページング信号を効率よく受信することができる。また、たとえば移動端末がすべてのキャリアを受信する場合と比べると、移動端末の消費電力を低減することができる。このように、通信システム、基地局、移動端末および通信方法によれば、ページング信号を効率よく送受信することができる。
【０１１０】
また、上述した通信システム１００において、基地局１１０は、基地局１１０の隣接基地局と、隣接基地局の特定キャリアと、を対応付けた対応情報を基地局１１０の特定キャリアによって送信してもよい。基地局１１０の隣接基地局は、たとえば基地局１１０とセルが隣接する基地局である。たとえば、図１に示した通信システム１００において、基地局１１０は、基地局１１２０，１１３０，１１４０，１１５０のＩＤと、各基地局の特定キャリアを示す特定キャリア情報と、の対応情報をキャリア２０によって送信する。
【０１１１】
移動端末１２０は、ページング信号２３とともに対応情報をキャリア２０によって受信する。そして、移動端末１２０は、基地局１１０のセルから基地局１１２０，１１３０，１１４０，１１５０のいずれかのセルへ移動した場合は、移動したセルの基地局と対応情報において対応付けられている特定キャリア情報が示すキャリアに接続する。これにより、移動端末１２０は、他の基地局へのハンドオーバ時に、ハンドオーバ先の基地局の特定キャリアに短時間で接続し、ページング信号を効率よく受信することができる。
【０１１２】
また、上述した通信システム１００において、基地局１１０は、移動端末１２０のトラッキングエリアに含まれる各基地局と、各基地局の特定キャリアと、を対応付けた対応情報を基地局１１０の特定キャリアによって送信してもよい。たとえば、図１に示した通信システム１００において、基地局１１０は、基地局１１２０，１１３０，１１４０のＩＤと、各基地局の特定キャリアを示す特定キャリア情報と、の対応情報をキャリア２０によって送信する。
【０１１３】
移動端末１２０は、ページング信号２３とともに対応情報をキャリア２０によって受信する。そして、移動端末１２０は、基地局１１０のセルから基地局１１２０，１１３０，１１４０のいずれかのセルへ移動した場合は、移動したセルの基地局と対応情報において対応付けられている特定キャリア情報が示すキャリアに接続する。これにより、移動端末１２０は、他の基地局へのハンドオーバ時に、ハンドオーバ先の基地局の特定キャリアに短時間で接続し、ページング信号を効率よく受信することができる。
【０１１４】
なお、上述した通信システム１００および通信システム１１００は、たとえばＬＴＥ−Ａの通信システムであるが、ＬＴＥ−Ａと同様に複数の無線キャリアを用いる通信システムに適用可能である。また、上述したキャリア（コンポーネントキャリア）は、たとえばＬＴＥ−Ａに規定されたコンポーネントキャリアであるが、ＬＴＥ−Ａに規定されたコンポーネントキャリアと同様に同時に用いられる無線キャリアに適用可能である。
【０１１５】
上述した実施の形態に関し、さらに以下の付記を開示する。
【０１１６】
（付記１）複数のキャリアの一部の特定キャリアによって基地局から移動端末にページング信号を送信する通信システムにおいて、
前記特定キャリアによりページング信号を送信し、前記複数のキャリアにおける前記特定キャリアとは異なるキャリアから前記特定キャリアを示す情報を送信する基地局と、
接続したキャリアから受信した前記情報に基づいて前記特定キャリアに接続し、前記特定キャリアにより送信されるページング信号を受信する移動端末と、
を含むことを特徴とする通信システム。
【０１１７】
（付記２）前記複数のキャリアにはそれぞれ異なるチャネル番号が割り当てられており、
前記基地局は、前記特定キャリアに割り当てられたチャネル番号を示す前記情報を送信することを特徴とする付記１に記載の通信システム。
【０１１８】
（付記３）前記基地局は、前記情報が含まれるキャリアに割り当てられたチャネル番号と、前記特定キャリアに割り当てられたチャネル番号と、の差分を示す前記情報を送信することを特徴とする付記１に記載の通信システム。
【０１１９】
（付記４）前記複数のキャリアは、互いに周波数が異なるキャリアであり、
前記移動端末は、前記チャネル番号に基づいて前記特定キャリアの周波数を算出し、算出した周波数のキャリアに接続することを特徴とする付記２に記載の通信システム。
【０１２０】
（付記５）前記複数のキャリアは、互いに周波数が異なるキャリアであることを特徴とする付記１に記載の通信システム。
【０１２１】
（付記６）前記基地局は、前記特定キャリアの周波数を示す前記情報を送信することを特徴とする付記５に記載の通信システム。
【０１２２】
（付記７）前記複数のキャリアには前記特定キャリアが複数含まれ、
前記基地局は、複数の前記特定キャリアのうちの、いずれかの特定キャリアあるいは前記異なるキャリアと周波数が近い特定キャリア若しくは両方の特定キャリアを示す情報を送信することを特徴とする付記５に記載の通信システム。
【０１２３】
（付記８）ＬＴＥ−Ａ（Ｌｏｎｇ  Ｔｅｒｍ  Ｅｖｏｌｕｔｉｏｎ−Ａｄｖａｎｃｅｄ）の通信システムであることを特徴とする付記１に記載の通信システム。
【０１２４】
（付記９）前記キャリアはコンポーネントキャリアであることを特徴とする付記８に記載の通信システム。
【０１２５】
（付記１０）複数のキャリアの一部の特定キャリアによって基地局から移動端末にページング信号を送信する通信システムの基地局において、
前記複数のキャリアにおける前記特定キャリアとは異なるキャリアから前記特定キャリアを示す情報を送信する第一送信部と、
前記ページング信号を前記特定キャリアによって送信する第二送信部と、
を備えることを特徴とする基地局。
【０１２６】
（付記１１）複数のキャリアの一部の特定キャリアによって基地局から移動端末にページング信号を送信する通信システムの移動端末において、
接続したキャリアから前記特定キャリアを示す情報を受信する第一受信部と、
前記第一受信部によって受信された情報が示すキャリアに接続する接続部と、
前記接続部によって接続されたキャリアにより送信されるページング信号を受信する第二受信部と、
を備えることを特徴とする移動端末。
【０１２７】
（付記１２）複数のキャリアの一部の特定キャリアによって基地局から移動端末にページング信号を送信する通信システムの通信方法において、
前記複数のキャリアにおける前記特定キャリアとは異なるキャリアから前記特定キャリアを示す情報を前記基地局が送信する第一送信工程と、
前記第一送信工程によって送信された情報のうちの、接続したキャリアから受信した情報に基づいて前記移動端末が前記特定キャリアに接続する接続工程と、
前記特定キャリアによりページング信号を前記基地局が送信する第二送信工程と、
前記第二送信工程によって送信されたページング信号を、前記接続工程によって接続されたキャリアによって前記移動端末が受信する受信工程と、
を含むことを特徴とする通信方法。
【０１２８】
（付記１３）複数のキャリアの一部の特定キャリアによって基地局から移動端末にページング信号を送信する通信システムにおいて、
前記移動端末がアイドルモードへ移行する場合に、前記移動端末のトラッキングエリアに含まれる各基地局と、前記各基地局の前記特定キャリアと、を対応付けた対応情報を送信する基地局と、
前記基地局によって送信された対応情報に基づいて、接続した基地局の前記特定キャリアに接続し、前記特定キャリアにより送信されるページング信号を受信する移動端末と、
を含むことを特徴とする通信システム。
【０１２９】
（付記１４）複数のキャリアの一部の特定キャリアによって基地局から移動端末にページング信号を送信する通信システムの基地局において、
前記移動端末がアイドルモードへ移行する場合に、前記移動端末のトラッキングエリアに含まれる各基地局と、前記各基地局の前記特定キャリアと、を対応付けた対応情報を前記移動端末へ送信する第一送信部と、
前記ページング信号を前記特定キャリアによって送信する第二送信部と、
を備えることを特徴とする基地局。
【０１３０】
（付記１５）複数のキャリアの一部の特定キャリアによって基地局から移動端末にページング信号を送信する通信システムの移動端末において、
アイドルモードへ移行する場合に、前記移動端末のトラッキングエリアに含まれる各基地局と、前記各基地局の前記特定キャリアと、を対応付けた対応情報を受信する第一受信部と、
前記第一受信部によって受信された対応情報に基づいて、接続した基地局における前記特定キャリアに接続する接続部と、
前記接続部によって接続されたキャリアにより送信されるページング信号を受信する第二受信部と、
を備えることを特徴とする移動端末。
【符号の説明】
【０１３１】
１０，２０，３０，４０，５０，１２１１〜１２１４，１２２１〜１２２４，１２３１〜１２３４，１２４１〜１２４４  キャリア
１１，２１，３１，４１，５１  チャネル番号
１２，２２，３２，４２，５２  特定キャリア情報
２３，３３  ページング信号
１００，１１００  通信システム
１１０，１１２０，１１３０，１１４０，１１５０  基地局
８２０  対応情報
１１０１  トラッキングエリア
１１１１，１１２１，１１３１，１１４１，１１５１  セル
【図１】
0005423796.tif 000002
【図２】
0005423796.tif 000003
【図３】
0005423796.tif 000004
【図４】
0005423796.tif 000005
【図５】
0005423796.tif 000006
【図６】
0005423796.tif 000007
【図７】
0005423796.tif 000008
【図８】
0005423796.tif 000009
【図９】
0005423796.tif 000010
【図１０】
0005423796.tif 000011
【図１１】
0005423796.tif 000012
【図１２】
0005423796.tif 000013